(57)【特許請求の範囲】
【請求項１】
モニタ表示部を有し、ドアホン呼出、通話機能に加えて、少なくとも室内呼出、モニタ機能を付加した多機能型テレビインターホン装置において、
上記モニタ表示部に、設定操作画面を表示し、通話スイッチ、室内呼出スイッチなどの装置本体の表面に設けた、通常モード時に使用する各種の操作スイッチを操作することによって、上記設定操作画面に表示された各種の機能設定を行うようにしており、
上記設定操作画面には、上記装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示される構成としている多機能型テレビインターホン装置。
【請求項２】
モニタ表示部を有し、ドアホン呼出、通話機能に加えて、少なくとも室内呼出、モニタ機能を付加した多機能型テレビインターホン装置において、
上記モニタ表示部に、設定操作画面を表示し、通話スイッチ、室内呼出スイッチなどの装置本体の表面に設けた、通常モード時に使用する各種の操作スイッチを操作することによって、上記設定操作画面に表示された各種の機能設定を行うようにしており、
装置本体には、通常モードから機能設定モードに切り換え操作する機能設定スイッチを設けており、
上記設定操作画面には、上記装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示される構成としている多機能型テレビインターホン装置。
【請求項３】
請求項１または２のいずれかにおいて、
上記設定操作画面は、通話スイッチ、２つの室内呼出スイッチに対応した、３つの操作ウインド枠で構成されており、
３つの操作ウインド枠のうち、いずれかの操作ウインド枠には、その操作ウインド枠に対応した操作スイッチの操作に応じて設定可能な項目が順次切換表示され、他の２つの操作ウインド枠には、その項目に対応した内容を表示している多機能型テレビインターホン装置。
【請求項４】
請求項１〜３のいずれかにおいて、
上記設定操作画面には、装置本体に接続された複数のドアホン子器からの着信を選択する項目を含んでいる、多機能型テレビインターホン装置。
【請求項５】
請求項１〜３のいずれかにおいて、
上記設定操作画面には、装置本体に接続された他のインターホン装置を含んだ内線グループからの着信を選択する項目を含んでいる、多機能型テレビインターホン装置。
【請求項６】
請求項１〜３のいずれかにおいて、
上記設定操作画面には、装置本体に接続された他の呼出端末器からの着信を選択する項目を含んでいる、多機能型テレビインターホン装置。
【請求項７】
請求項１〜３のいずれかにおいて、
上記設定操作画面には、トークバック機能を設定する項目を含んでいる、多機能型テレビインターホン装置。
【請求項８】
請求項１〜３のいずれかにおいて、
装置本体に接続された人体検知センサが作動したときに、その人体検知センサに対応して設けたドアホン子器のカメラを駆動させて、自動的にモニタ表示を行う構成としている多機能型テレビインターホン装置。
【発明の詳細な説明】
【０００１】
【発明の属する技術分野】
【０００２】
本発明は、テレビインターホン親機、またはテレビインターホン副親機として用いられる多機能型インターホン装置、詳しくは、そのモニタ表示部に設定操作画面を表示し、通常操作で用いられる操作スイッチを使用して、各種の機能設定が行えるようにした多機能型インターホン装置に関する。
【従来の技術】
【０００３】
近時、一般住宅等において、テレビインターホンシステムを構成するために、テレビインターホン親機やテレビインターホン副親機などの多機能型インターホン装置が広く使用されている。
【０００４】
このような多機能型インターホン装置を用いて構成したインターホンシステムについて、図６を用いて説明する。
【０００５】
図６には、２世帯住宅におけるテレビインターホンシステムが示されており、親世帯に設置したインターホン親機Ａに、２台のドアホン子器Ｂ１，Ｂ２を信号線Ｌ１，Ｌ１を介してパラレル接続するとともに、インターホン副親機Ａ１，Ａ３を信号線Ｌ２を介してパラレル接続している。
【０００６】
そして、インターホン副親機Ａ１には、信号線Ｌ２を介してインターホン副親機Ａ２を接続し、インターホン副親機Ａ３には、信号線Ｌ２を介して、インターホン副親機Ａ４，Ａ５をシリアル接続している。
【０００７】
このような構成において、親機Ａ，副親機Ａ１〜Ａ５は、ドアホン呼出機能、通話機能、室内呼出機能、モニタ機能を有しており、ドアホン呼出機能とは、いずれかのドアホン子器Ｂ１，Ｂ２からの呼出があれば、親機Ａ，副親機Ａ１〜Ａ５より呼出音が鳴動する。
【０００８】
また、通話機能とは、ドアホン子器Ｂ１，Ｂ２からの呼出に対して、親機Ａ、副親機Ａ１〜Ａ５のいずれかの通話スイッチｂ１を操作して応答した後に、ドアホン子器Ｂ１，Ｂ２との間で通話したり、他の親機Ａ，副親機Ａ１〜Ａ５からの室内呼出に対して、通話スイッチｂ１を操作して応答した後に、呼び出した側の親機Ａ，副親機Ａ１〜Ａ５との間で通話する機能を意味する。
【０００９】
更に、室内呼出機能とは、いずれかの親機Ａ，副親機Ａ１〜Ａ５で、内線呼Ａスイッチｂ２，内線呼Ｂスイッチｂ３を操作して室内呼出を行えば、他の親機Ａ，副親機Ａ１〜Ａ５のうち、予め設定されたグループに所属する親機Ａ，副親機Ａ１〜Ａ５から呼出音を鳴動させて呼び出す。ここで、親機Ａ，副親機Ａ１〜Ａ５では、予めグループＡおよびグループＢのいずれかを選択して、自機の所属するグループを設定するようになっており、内線呼Ａスイッチｂ２、内線呼Ｂスイッチｂ３を同時に操作すれば、他のすべての親機Ａ，副親機Ａ１〜Ａ５に対して呼出を行う。
【００１０】
また、モニタ機能とは、親機Ａ，副親機Ａ１〜Ａ５のモニタスイッチｂ４を操作することによって、ドアホン子器Ｂ１，Ｂ２のカメラｃが撮影する映像を、モニタ表示部ｔｖに写しだすとともに、子器Ｂ１，Ｂ２からの音声を、親機Ａ，副親機Ａ１〜Ａ５で出力する。
【００１１】
ここで、親機Ａ，副親機Ａ１〜Ａ５では、各種の機能設定を行えるようにしており、これらの機能設定について説明する。
【００１２】
図７は、親機Ａ，副親機Ａ１〜Ａ５を示す外観図である。
【００１３】
親機Ａ，副親機Ａ１〜Ａ５には、機能設定するための設定スイッチを、複数個装置側面に設けており、これらの設定スイッチは、スライドスイッチで構成されている。
【００１４】
このような構成において、グループ設定スイッチｓｗ２をスライド操作すれば、他の親機Ａ，副親機Ａ１〜Ａ５のいずれの内線呼Ａスイッチｂ２，内線呼Ｂスイッチｂ３の操作によって、室内呼出を受け付けるかを設定できる。
【００１５】
また、ドアホン１設定スイッチｓｗ３，ドアホン２設定スイッチｓｗ４をスライド操作すれば、いずれのドアホン子器Ｂ１，Ｂ２からの呼出を受け付けるかを設定できるようになっている。
【００１６】
さらに、ドアホン１設定スイッチｓｗ３では、ドアホン子器Ｂ１からの呼出の受け付けの有無を設定し、ドアホン２設定スイッチｓｗ４では、ドアホン子器Ｂ２からの呼出の受け付けの有無を設定するようにしている。
【００１７】
また、トークバック設定スイッチｓｗ５をスライド操作すれば、他の親機Ａ，副親機Ａ１〜Ａ５から室内呼出があったときに、通話スイッチを操作して応答しなくても、声を出して返事すれば、呼び出した側に音声として出力されるようになっている。なお、この親機Ａ，副親機Ａ１〜Ａ５において、ｓｗ５は、電源スイッチである。
【発明が解決しようとする課題】
【００１８】
しかしながら、上記した従来の多機能型インターホン装置では、機能設定の内容が増加すれば、設定スイッチの数も増加させなければならず、設定スイッチの数が増加すれば、それだけ装置を構成する部品点数も増加してしまい、コストアップになる。
【００１９】
また、設定スイッチの数が増加すれば、ユーザーにとって、設定スイッチがどの機能を設定するものであるかが分かりにくいものとなってしまい、設定操作も難しくなってしまう。
【００２０】
本発明は、上記事情に鑑みて提案されるもので、機能設定操作を、通常操作で用いられる操作スイッチを共用し、モニタ表示画面に設定操作画面を表示させて行うことができる多機能型インターホン装置を提供することを目的としている。
【課題を解決するための手段】
【００２１】
上記目的を達成するために、請求項１に記載の多機能型インターホン装置では、モニタ表示部に、設定操作画面を表示し、通話スイッチ、室内呼出スイッチなどの装置本体の表面に設けた、通常モード時に使用する各種の操作スイッチを操作することによって、上記設定操作画面に表示された各種の機能設定を行うようにしており、設定操作画面には、上記装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示される構成としている。
【００２２】
請求項２に記載の多機能型インターホン装置では、モニタ表示部に、設定操作画面を表示し、通話スイッチ、室内呼出スイッチなどの装置本体の表面に設けた、通常モード時に使用する各種の操作スイッチを操作することによって、上記設定操作画面に表示された各種の機能設定を行うようにしており、装置本体には、通常モードから機能設定モードに切り換え操作する機能設定スイッチを設けており、設定操作画面には、装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示される構成としている。
【００２３】
請求項３に記載の多機能型インターホン装置では、設定操作画面は、通話スイッチ、２つの室内呼出スイッチに対応した、３つの操作ウインド枠で構成されており、３つの操作ウインド枠のうち、いずれかの操作ウインド枠には、その操作ウインド枠に対応した操作スイッチの操作に応じて設定可能な項目が順次切換表示され、他の２つの操作ウインド枠には、その項目に対応した内容を表示している。
【００２４】
請求項４に記載の多機能型インターホン装置では、設定操作画面には、装置本体に接続された複数のドアホン子器からの着信を選択する項目を含んでいる。
【００２５】
請求項５に記載の多機能型インターホン装置では、設定操作画面には、装置本体に接続された他のインターホン装置を含んだ内線グループからの着信を選択する項目を含んでいる。
【００２６】
請求項６に記載の多機能型インターホン装置では、設定操作画面には、装置本体に接続された他の呼出端末器からの着信を選択する項目を含んでいる。
【００２７】
請求項７に記載の多機能型インターホン装置では、設定操作画面には、トークバック機能を設定する項目を含んでいる。
【００２８】
請求項８に記載の多機能型インターホン装置では、装置本体に接続された人体検知センサが作動したときに、その人体検知センサに対応して設けたドアホン子器のカメラを駆動させて、自動的にモニタ表示を行う構成としている。
【発明の実施の形態】
【００２９】
以下に、本発明の多機能型インターホン装置について、図面を用いて説明する。
【００３０】
図１は、多機能型インターホン装置Ｉ、Ｉ’の外観の一例を示す正面図である。
【００３１】
この多機能型インターホン装置Ｉ，Ｉ’は、ドアホン子器や、他の多機能型インターホン装置などからの呼出に対して応答するための通話スイッチｂ１，他の多機能型インターホン装置などのうち、予めＡグループに設定された装置を呼び出すための室内呼Ａスイッチｂ２、他の多機能型インターホン装置などのうち、予めＢグループに設定された装置を呼び出すための室内呼Ｂスイッチｂ３，ドアホン子器からの映像と音声とのそれぞれについて、モニタ表示部ｔｖとスピーカｓｐでモニタするためのモニタスイッチｂ４を備えている。
【００３２】
通話スイッチｂ１、室内呼Ａスイッチｂ２、室内呼Ｂスイッチｂ３、モニタスイッチｂ４は、それぞれ通常モードにおける操作スイッチを構成しており、機能設定スイッチ１０Ａ（２８Ａ）を操作すれば、モードが切り換えられるようになっている。
【００３３】
ここで、機能設定スイッチ１０Ａ（２８Ａ）は、この例では、装置本体下面に、ディップスイッチや、スライドスイッチ、押ボタンなどで構成されており、「ＯＮ」、「ＯＦＦ」を切り換えできるようになっている。
【００３４】
機能設定スイッチ１０Ａ（２８Ａ）を「ＯＮ」側に操作すれば、通常モードから機能設定モードに切り換わり、モニタ表示部ｔｖには、設定操作画面Ｅが表示される。
【００３５】
このような設定操作画面Ｅとしては、種々の表示パターンを有したものが採用できる。
【００３６】
図１では、設定操作画面Ｅを、インターホン装置の表面に設けた通話スイッチｂ１、室内呼Ａスイッチｂ２、室内呼Ｂスイッチｂ３に対応させた３つのウインドウ枠Ａ〜Ｃを表示させており、ウインドウ枠Ａには、通話スイッチｂ１を操作すれば、図２に示した項目（１）〜（７）が順次エンドレスに切り替わって表示され、ウインドウ枠Ｂ、ウインドウ枠Ｃには、ウインドウ枠Ａに表示された項目に応じて、図２の内容Ｂ、Ｃに示されたＯＮ，ＯＦＦなどの設定内容が表示されるようになっている。
【００３７】
したがって、例えば、ドアホン１の設定を行う場合には、通話スイッチｂ１を操作して、ウインドウ枠Ａに（１）の項目「ドアホン１設定」を表示させ、ＯＮが表示されているウインドウ枠Ｂに対応した室内呼Ａスイッチｂ２を操作すれば、ウインドウ枠Ｂの色が変わり、あるいはそのウインドウ枠が落ち込んでＯＮが選択され、更に通話スイッチｂ１を操作して、ウインドウ枠Ａに表示される項目を変更すれば、その内容が確定する。
【００３８】
このような設定操作画面Ｅによって設定可能な機能項目について説明すると、ドアホン１設定は、ドアホン子器Ｂ１からの呼出を有効、無効に設定すること、ドアホン２設定は、ドアホン子器Ｂ２からの呼出を有効、無効を設定する。
【００３９】
また、内線グループ設定は、グループ区分された他のインターホン装置などからの呼出があったときに、ここでは、Ａ，Ｂのいずれのグループからの内線呼出を受け付けるかを選択し設定するものであり、コール１呼び出しとは、親機となるインターホン装置Ｉに接続されたコール呼出ボタンからの呼出、コール２呼び出しとは、副親機となるインターホン装置Ｉ’に接続されたコール呼出ボタンからの呼出に対して、それぞれ有効、無効に設定する。
【００４０】
更に、トークバック設定とは、他のインターホン装置などから室内呼出を受けたときに、通話スイッチｂ１を操作して応答しなくても、返事などすれば、呼び出した側に対して音声が聞こえるように設定することを意味する。
また、センサーモニター設定とは、ドアホン子器Ｂに対応して設けた人体検知センサＳが、所定時間、人の存在を検知したときに、そのドアホン子器Ｂのマイク、カメラを駆動してインターホン装置のモニタ表示部に映像を映し出し、更にスピーカから音をモニタさせる動作を行わせるかどうかを設定することを意味している。
【００４１】
本発明のインターホン装置によれば、このような基本機能の設定が、モニタ表示部ｔｖに設定操作画面Ｅを表示した状態で、インターホン装置Ｉ、Ｉ‘の表面に通常モードに使用する通話スイッチｂ１、内線呼出ｂ２、ｂ３、モニタスイッチｂ４を操作することによって、容易に設定、変更が出来るが、モニタ表示部ｔｖに表示される設定操作画面Ｅは、以上のような例に限られず、種々な変更パターンが採用できる。
【００４２】
例えば、モニタ表示部ｔｖに表示される設定操作画面Ｅとしては、一覧表示形式のものであってもよく、その場合、図２に示した項目Ａ欄には設定可能な機能が表示され、内容Ｂ、Ｃ欄には、ＯＮ、ＯＦＦあるいは選択項目が表示されるような構成であってもよい。
このような画面Ｅの場合、通話スイッチｂ１、室内呼Ａスイッチｂ２、室内呼Ｂスイッチｂ３に対応して、３つの表示欄Ａ〜Ｃに対応させれば、通話スイッチｂ１を押操作するごとに、設定項目の文字やカーソルを順次反転表示させて、下方に移動させて選択でき、最下端まで移動させた後は、最上端に復帰してエンドレスに設定項目を反転表示させて選択できる。また、室内呼Ａスイッチｂ２は、内容Ｂ欄に対応させ、室内呼Ｂスイッチｂ３は、内容Ｃに対応させ、いずれもＡ欄の設定項目と同様に、設定項目を順次反転表示させて、下方に移動して選択でき、最下端まで移動した後は、最上端まで復帰してエンドレスに設定項目を反転表示させて、選択でき、このようにして、選択した設定項目を確定するためには、通話スイッチｂ１を操作すれば、文字の反転している、あるいはカーソルの表示されている内容に設定できる。更に、このような一覧表示画面に構成する際、モニタ表示部にすべての項目を一覧表示できない場合には、Ａ欄に対応した室内呼Ａスイッチｂ２を順次操作することによって、順次スクロールアップさせたり、スクロールダウンさせてもよい。
【００４３】
ついで、多機能型インターホン装置の内部回路の構成について説明する。
【００４４】
図３は、インターホン親機として使用される多機能型インターホン装置の要部構成の一例を示すブロック図である。
【００４５】
この多機能型インターホン装置Ｉは、以下の各部を制御するＣＰＵ１，音声信号、制御信号、電源を多重化して、後述するドアホン子器Ｂ１，Ｂ２に送出したり、ドアホン子器Ｂ１，Ｂ２から多重化されて送出されてくる、映像信号、音声信号をそれぞれ分離化するための多重化／分離化回路２，ドアホン子器Ｂ１，Ｂ２から送出されてくる映像信号を復調するための映像信号復調回路３，ドアホン子器Ｂ１，Ｂ２からの呼出を検知するための子器呼出検知回路４，ドアホン子器Ｂ１，Ｂ２に対して制御信号を送出して、モニタ動作を行うための制御信号回路５，ドアホン子器Ｂ１，Ｂ２に電源を供給するための子器電源回路６，スピーカｓｐとマイクｍによって、ドアホン子器Ｂ１，Ｂ２や副親機Ａ１〜Ａ７との間でインターホン通話を可能とする通話回路７，ドアホン子器Ｂ１，Ｂ２や、装置Ｉに接続される他のインターホン副親機からの呼出に対して、スピーカｓｐから呼出音を鳴動させる呼出音回路８，増設スピーカＤや、コール呼出ボタン等の外部機器を接続するための外部機器接続端子９，機能設定スイッチ１０Ａ（後述）を備えたスイッチ，ボタン類１０，セキュリティセンサＳからの人体検知信号を受信するための人体検知信号入力回路１１，ドアホン子器Ｂ１，Ｂ２で撮影した映像をモニタ表示部ｔｖに映し出すためのモニタドライバ１２を備える。
【００４６】
スイッチ，ボタン類１０のうち、多機能型インターホン装置Ｉでは、通話スイッチなどの操作スイッチを複数備えており、ユーザーが、これらの操作スイッチを操作することで、通話、室内呼出、モニタ動作を行えるようにしている。
【００４７】
また、スイッチ，ボタン類１０には、更に電源スイッチ、呼出音量調整スイッチ、明るさ調整スイッチ、終端抵抗スイッチが設けられている。
【００４８】
機能設定スイッチ１０Ａは、装置Ｉ本体に１つ設けられ、これを操作することで、モニタ表示部ｔｖに設定操作画面（後述）を表示し、通話スイッチ，室内呼出スイッチ、モニタスイッチといった操作スイッチを操作して、各種の機能設定を行えるようにしている。
【００４９】
次に、インターホン副親機として用いられる多機能型インターホン装置の別の構成例について説明する。
【００５０】
図４は、多機能型インターホン装置の内部構成の他の例について示すブロック図である。
【００５１】
この多機能型インターホン装置Ｉ’は、以下の各部を制御するＣＰＵ２０，音声信号、制御信号、電源を多重化して、装置本体に接続される親機に送出したり、親機から多重化されて送出されてくる、映像信号、音声信号をそれぞれ分離化するための多重化／分離化回路２１，親機から送出されてくる映像信号を復調するための映像信号復調回路２２，親機との間で呼出信号を送受信するための呼出信号送受信回路２３，親機から供給される電源を受け、内部電源として利用するための内部電源回路２４，スピーカｓｐとマイクｍによって、インターホン通話を可能とする通話回路２５，スピーカｓｐから呼出音を鳴動させる呼出音回路２６，増設スピーカＤやコール呼出ボタン等の外部機器を接続するための外部機器接続端子２７，機能設定スイッチ１８Ａ（後述）を備えたスイッチ，ボタン類２８，映像信号復調回路２２で復調された映像信号を受けて、ドアホン子器Ｂ１，Ｂ２からの映像をモニタ表示部ｔｖに映し出すためのモニタドライバ２９を備える。
【００５２】
スイッチ，ボタン類２８のうち、多機能型インターホン装置Ｉ’では、多機能型インターホン装置Ｉ’同様、通話スイッチなどの操作スイッチを複数備えており、ユーザーが、これらの操作スイッチを操作することで、通話、室内呼出、モニタ動作を行えるようにしている。また、スイッチ，ボタン類２８には、親機のインターホン装置Ｉ’と同様に電源スイッチ、呼出音量調整スイッチ、明るさ調整スイッチ、終端抵抗スイッチが設けられている。
機能設定スイッチ２８Ａとしては、多機能型インターホン装置Ｉ’と同様に、装置本体に１つ設けて、これを操作することで、モニタ表示部ｔｖに設定操作画面（後述）を表示し、通話スイッチ，室内呼出スイッチ、モニタスイッチといった通話スイッチを操作して、各種の機能設定を行えるようにしている。
このようなテレビインターホン装置のモニタ表示部には、システムの動作を絵文字などで表示することによって、一層使い勝手をよくすることが出来る。
図５（ａ）〜（ｂ）は、モニタ表示部に表示される絵記号を示したもので、（ａ）は、いずれのドアホンから来訪者の呼出があったかを示すもので、ドアホンラ子器のカメラで撮像された来訪者の姿と、ドアホン１からの呼出を表示する文字を組み合わせて報知する例、（ｂ）はドアホン１からの呼出に応答して通話中に、別のドアホン２からの呼出があった場合に、通話中の来訪者の姿に加えて、呼出を示す絵記号と、ドアホン２の文字とを組合わせて報知する例、（ｃ）は、親機に接続付加されたコール呼出ボタンからの呼出があったことを絵記号で示すもので、この場合は２つの画面が交互に切り替わる。また、（ｄ）は内線Ａグループからの呼出を絵記号と、文字の組み合わせで報知する例を示している。
このようにすれば、テレビーインターホン装置のモニタテレビを有効に利用でき、システムが複合化し、動作も複雑になっているインターホンシステムの基本動作をビジュアルで分かりやすいものに出来る。
【発明の効果】
【００５３】
以上の説明から理解できるように、請求項１に記載の多機能型インターホン装置によれば、モニタ表示部に、設定操作画面を表示し、通話スイッチ、室内呼出スイッチなどの装置本体の表面に設けた、通常モード時に使用する各種の操作スイッチを操作することによって、設定操作画面に表示された各種の機能設定を行うようにしているので、モニタ表示部に設定操作画面を表示させた状態で、通常操作で用いられる操作スイッチを共用して行うことができるので、ユーザーにとって設定作業が容易に行える上に、設定スイッチなどの部品点数を減らすことができる。
【００５４】
また、設定操作画面には、装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示されるので、ユーザーにとって、設定すべき機能項目、設定内容の対応が分かりやすく操作が容易である。
【００５５】
請求項２に記載の多機能型インターホン装置では、装置本体には、通常モードから機能設定モードに切り換え操作する機能設定スイッチを、設定操作画面の操作に使用する通常モード時に使用する操作スイッチとは区別して設けているので、通常動作時に機能設定モードに誤って切り換えるおそれがない。また、設定スイッチの切り換え操作ひとつで、通常モードから機能設定モードに切り換えられ、ユーザーにとって使い勝手がよい。
【００５６】
また、設定操作画面には、装置本体の表面に設けた通話スイッチ、室内呼出スイッチなどの操作スイッチに対応した操作ウインド枠が表示され、それぞれの操作ウインド枠には、その操作ウインド枠に対応した操作スイッチを操作する毎に、その操作スイッチに対応した設定可能な項目が順次切換表示されるので、ユーザーにとって、設定すべき機能項目、設定内容の対応が分かりやすく操作が容易である。
【００５７】
請求項３に記載の多機能型インターホン装置では、設定操作画面は、通話スイッチ、２つの室内呼出スイッチに対応した、３つの操作ウインド枠で構成されており、３つの操作ウインド枠のうち、いずれかの操作ウインド枠には、その操作ウインド枠に対応した操作スイッチの操作に応じて設定可能な項目が順次切換表示され、他の２つの操作ウインド枠には、その項目に対応した内容を表示するので、見た目もスマートな上に、ユーザーにとって、機能設定項目と、それに対応した内容とを容易に参照することができるとともに、使い勝手がよい。
【００５８】
請求項４に記載の多機能型インターホン装置では、設定操作画面には、装置本体に接続された複数のドアホン子器からの着信を選択する項目を含んでいるので、ユーザーが、複数のドアホン子器のうち、いずれの呼出を受け付けるかを容易に設定することができる。
【００５９】
請求項５に記載の多機能型インターホン装置では、設定操作画面には、装置本体に接続された他のインターホン装置を含んだ内線グループからの着信を選択する項目を含んでいるので、ユーザーが、装置に接続された他のインターホン装置のうち、どのグループに属する装置からの室内呼出を受け付けるかを容易に設定することができる。
【００６０】
請求項６に記載の多機能型インターホン装置では、設定操作画面には、装置本体に接続された他の呼出端末器からの着信を選択する項目を含んでいるので、ユーザーが、どの呼出端末器からの呼出を受け付けるかを容易に設定することができる。
【００６１】
請求項７に記載の多機能型インターホン装置では、設定操作画面には、トークバック機能を設定する項目を含んでいるので、他のインターホン装置から室内呼出を受けた際に、装置側の音声を、呼び出した側に対して聞こえる、聞こえないかを容易に設定することができる。
【００６２】
請求項８に記載の多機能型インターホン装置では、装置本体に接続された人体検知センサが作動したときに、その人体検知センサに対応して設けたドアホン子器のカメラを駆動させて、自動的にモニタ表示を行うので、防犯上、有益である。
【図面の簡単な説明】
【図１】  本発明の他機能型インターホン装置の一例の外観構成図である。
【図２】  設定操作画面に表示される機能設定項目と内容を説明するための図である
【図３】  親機として使用される他機能型インターホン装置の要部構成を示すブロック図である。
【図４】  副親機として使用される他機能型インターホン装置の要部構成を示すブロック図である。
【図５】  モニタ表示部にシステムの動作を示すために表示される絵記号の一例を示す図である。
【図６】  従来の多機能型インターホン装置を用いて構成したインターホンシステムを示す図である。
【図７】  従来の多機能型インターホン装置を示す外観図である。
【符号の説明】
Ｉ，Ｉ’・・・多機能型インターホン装置
Ａ，Ｂ，Ｃ・・・操作ウインド枠
Ｂ１，Ｂ２・・・ドアホン子器
Ｃ１・・・コール１呼出ボタン
Ｃ２・・・コール２呼出ボタン
Ｄ・・・増設スピーカ
Ｅ・・・設定操作画面
Ｓ・・・人体検知センサ
１０Ａ，２８Ａ・・・機能設定スイッチ
ｂ１・・・通話スイッチ
ｂ２・・・室内呼Ａスイッチ
ｂ３・・・室内呼Ｂスイッチ
ｂ４・・・モニタスイッチ
ｔｖ・・・モニタ表示部
【図１】
0003653584.tif 000002
【図２】
0003653584.tif 000003
【図３】
0003653584.tif 000004
【図４】
0003653584.tif 000005
【図５】
0003653584.tif 000006
【図６】
0003653584.tif 000007
【図７】
0003653584.tif 000008